(57)【特許請求の範囲】
【請求項１】
無線通信用携帯端末装置と基地局間で複数のスロットにより無線通信を行う無線通信システムにおいて、
前記無線通信用携帯端末装置と前記基地局間で少なくとも１つのスロットによりパケット交換によるデータ通信を行うパケット交換モードでデータ通信を行う第１の通信状態と、
前記第１の通信状態において、前記無線通信用携帯端末装置と前記基地局間が接続されていないスロットを選択し回線交換呼を接続することにより、前記パケット交換モード及び第１の回線交換モードでデータ通信を行う第２の通信状態に移行し、
前記第２の通信状態においてパケット交換呼を切断すると共に、前記無線通信用携帯端末装置と前記基地局間が接続されていないスロットを選択し他の回線交換呼を接続することにより複数のスロットを回線交換呼とする第２の回線交換モードでデータ通信を行う第３の通信状態に移行することにより、前記パケット交換モードから回線交換モードへ移行することを特徴とする無線通信システムにおける通信モード切換方法。
【請求項２】
前記無線通信用携帯端末装置と基地局間のデータ通信はＴＤＭＡによって行い、前記第１の通信状態におけるパケット交換モードでのデータ通信は１スロット使用し、前記第２の通信状態におけるパケット交換モード及び第１の回線交換モードでのデータ通信は各々１スロット使用し、前記第３の通信状態における第２の回線交換モードでのデータ通信は２スロット使用することを特徴とする請求項１記載の無線通信システムにおける通信モード切換方法。
【請求項３】
前記第３の通信状態において少なくとも１つのスロットの回線交換呼を切断し、前記無線通信用携帯端末装置と前記基地局間が接続されていないスロットを選択してパケット交換呼を接続することにより前記第２の通信状態に移行し、
前記第２の通信状態において回線交換呼を切断することによりパケット交換呼のみの接続である前記第１の通信状態に移行することを特徴とする請求項１又は２記載の無線通信システムにおける通信モード切換方法。
【請求項４】
基地局との間で複数のスロットにより無線通信を行う無線通信用携帯端末装置において、
前記基地局との間で回線交換によって通信を行う回線交換モードでデータ通信する回線交換モード通信手段と、
前記基地局との間でパケット交換によって通信を行うパケット交換モードでデータ通信するパケット交換モード通信手段と、
前記パケット交換モード通信手段によるパケット交換モードから前記回線交換モード通信手段による回線交換モードにデータ通信モードを切換制御する通信モード切換制御手段とを備え、
前記通信モード切換制御手段は、
前記パケット交換モード通信手段によって少なくとも１つのスロットによりパケット交換モードでのデータ通信が行われている第１の通信状態で、前記無線通信用携帯端末装置と前記基地局間が接続されていないスロットを選択し前記回線交換モード通信手段による回線交換呼を接続することにより前記パケット交換モード通信手段によるパケット交換モード及び前記回線交換モード通信手段による第１の回線交換モードでのデータ通信を行う第２の通信状態に移行し、
前記第２の通信状態において前記パケット交換モード通信手段による通信を切断すると共に、前記回線交換モード通信手段によって前記無線通信用携帯端末装置と前記基地局間が接続されていないスロットを選択し他の回線交換呼を接続することにより、複数のスロットを回線交換呼とする第３の通信状態に移行するように、前記回線交換モード通信手段及び前記パケット交換モード通信手段を制御することを特徴とする無線通信用携帯端末装置。
【請求項５】
前記基地局との間のデータ通信はＴＤＭＡで行い、前記第１の通信状態におけるパケット交換モードでのデータ通信は１スロット使用し、前記第２の通信状態における前記パケット交換モード及び第１の回線交換モードでのデータ通信は各々１スロット使用し、前記第３の通信状態における第２の回線交換モードでのデータ通信は２スロット使用することを特徴とする請求項４記載の無線通信用携帯端末装置。
【請求項６】
前記通信モード切換制御手段は、前記第３の通信状態において前記回線交換モード通信手段を制御すると共に前記パケット交換モード通信手段により、少なくとも１つのスロットの回線交換呼を切断し、前記無線通信用携帯端末装置と前記基地局間が接続されていないスロットを選択してパケット交換呼を接続することにより前記第２の通信状態に移行し、
前記第２の通信状態において前記回線交換モード通信手段による回線交換呼を切断することにより前記第１の通信状態に移行することを特徴とする請求項４又は５記載の無線通信用携帯端末装置。
【請求項７】
前記無線通信用携帯端末装置はＰＨＳ通信機能を有する携帯型通信機であることを特徴とする請求項４乃至６に記載の無線通信用携帯端末装置。
【発明の詳細な説明】
【０００１】
【発明の属する技術分野】
本発明は、ＰＨＳ（Personal Handyphone System）や携帯電話等の無線通信用携帯端末装置と基地局間で無線通信を行うことにより、該無線通信用携帯端末装置と所望の通信相手間で無線通信を行うようにした無線通信システムにおける通信モード切換方法及び無線通信用携帯端末装置に関する。
【０００２】
【従来の技術】
従来から、ＰＨＳや携帯電話等の無線通信用携帯端末装置と基地局間で無線通信を行うことにより、該無線通信用携帯端末装置と所望の通信相手間で無線通信を行うようにした無線通信システムが利用されており、音声通信及びデータ通信の双方を行うことが可能なサービスが行われている。
【０００３】
ＰＨＳにおいては、音声通信とデータ通信のいずれも、回線交換（例えば、データ通信はＰＩＡＦＳ（PHS Internet Access Forum Standard ））によって行われている。また、携帯電話システムにおいては、音声通信は回線交換によって行われ、文字等のデータ通信は、回線交換又はパケット交換（例えば、ｉモード）のいずれか一方を選択することによって行われている。これにより、ＰＨＳ及び携帯電話システムのいずれにおいても、音声とデータの双方の通信が可能になっている。
【０００４】
【発明が解決しようとする課題】
しかしながら、従来のＰＨＳにおいては、データ通信が回線交換のみによって行われるため、データの通信量が少ない場合には回線の利用効率が悪いという問題があった。
【０００５】
一方、従来の携帯電話システムにおいては、データ通信を行う場合、回線交換又はパケット交換のいずれか一方のモードを呼接続時に選択し、通史が終了するまで該選択したモードに固定された状態で行われる。したがって、データ通信を回線交換で行うようにした場合にデータ通信量が少ない場合には回線の利用効率が悪く又、パケット交換で行うように選択した場合にはデータの通信速度が遅いという問題があった。
【０００６】
また、ＰＨＳや携帯電話システム以外の無線通信システムにおいても同様の問題があった。
【０００７】
本発明は、データ通信に際して、回線の利用効率を向上させると共に、高速な通信を可能にすることを課題としている。
【０００８】
【課題を解決するための手段】
本発明によれば、無線通信用携帯端末装置と基地局間で無線通信を行うことにより、前記無線通信用携帯端末装置と所望の相手先間で通信を行う無線通信システムにおいて、
前記無線通信用携帯端末装置と前記基地局間で回線交換によるデータ通信を行う回線交換モードと、前記無線通信用携帯端末装置と前記基地局間でパケット交換によるデータ通信を行うパケット交換モードとを用意し、
前記パケット交換モードでデータ通信を行う第１の通信状態において回線交換呼を接続することにより、前記パケット交換モード及び第１の回線交換モードでデータ通信を行う第２の通信状態に移行し、前記第２の通信状態においてパケット交換呼を切断すると共に前記第１の回線交換モードよりも高速な第２の回線交換モードでデータ通信を行う第３の通信状態に移行することにより、前記パケット交換モードから前記回線交換モードへ移行することを特徴とする無線通信システムにおける通信モード切換方法が提供される。
【０００９】
パケット交換モードでデータ通信を行う第１の通信状態から、前記第１の通信状態において回線交換呼を接続することにより、前記パケット交換モード及び第１の回線交換モードでデータ通信を行う第２の通信状態に移行し、前記第２の通信状態においてパケット交換呼を切断すると共に前記第１の回線交換モードよりも高速な第２の回線交換モードでデータ通信を行う第３の通信状態に移行し、これにより、前記パケット交換モードから前記回線交換モードへ通信モードを切換える。
【００１０】
ここで、前記無線通信用携帯端末装置と基地局間のデータ通信はＴＤＭＡによって行い、前記第１の通信状態におけるパケット交換モードでのデータ通信は１スロット使用し、前記第２の通信状態におけるパケット交換モード及び第１の回線交換モードでのデータ通信は各々１スロット使用し、前記第３の通信状態における第２の回線交換モードでのデータ通信は２スロット使用するようにしてもよい。
【００１１】
また、さらに、前記第３の通信状態において回線交換モードの一部を切断すると共にパケット交換呼を接続することにより、前記第２の通信状態に移行し、前記第２の通信状態において回線交換呼を切断することにより前記第１の通信状態に移行するようにしてもよい。
【００１２】
また、本発明によれば、基地局との間で無線通信を行うことにより、所望の相手先と通信を行う無線通信用携帯端末装置において、
前記基地局との間で回線交換によって通信を行う回線交換モードでデータ通信する回線交換モード通信手段と、前記基地局との間でパケット交換によって通信を行うパケット交換モードでデータ通信するパケット交換モード通信手段と、前記パケット交換モード通信手段によるパケット交換モードから前記回線交換モード通信手段による回線交換モードにデータ通信モードを切換制御する通信モード切換制御手段とを備え、
前記通信モード切換制御手段は、前記パケット交換モード通信手段によってパケット交換モードでのデータ通信が行われている第１の通信状態で、前記回線交換モード通信手段による回線交換呼を接続することにより前記パケット交換モード通信手段によるパケット交換モード及び前記回線交換モード通信手段による第１の回線交換モードでのデータ通信を行う第２の通信状態に移行し、前記第２の通信状態においてパケット交換モード通信手段による通信を切断すると共に前記回線交換モード通信手段によって前記第１の回線交換モードよりも高速な第２の回線交換モードでのデータ通信を行う第３の通信状態に移行するように、前記回線交換モード通信手段及び前記パケット交換モード通信手段を制御することを特徴とする無線通信用携帯端末装置が提供される。
【００１３】
通信モード切換制御手段は、パケット交換モード通信手段によってパケット交換モードでのデータ通信が行われている第１の通信状態で、回線交換モード通信手段による回線交換呼を接続することにより前記パケット交換モード通信手段によるパケット交換モード及び前記回線交換モード通信手段による第１の回線交換モードでのデータ通信を行う第２の通信状態に移行し、前記第２の通信状態においてパケット交換モード通信手段による通信を切断すると共に前記回線交換モード通信手段によって前記第１の回線交換モードよりも高速な第２の回線交換モードでのデータ通信を行う第３の通信状態に移行するように、前記回線交換モード通信手段及び前記パケット交換モード通信手段を制御する。これにより、パケット交換モードから回線交換モードへ通信モードが切換えられる。
【００１４】
ここで、前記基地局との間のデータ通信はＴＤＭＡで行い、前記第１の通信状態におけるパケット交換モードでのデータ通信は１スロット使用し、前記第２の通信状態における前記パケット交換モード及び第１の回線交換モードでのデータ通信は各々１スロット使用し、前記第３の通信状態における第２の回線交換モードでのデータ通信は２スロット使用するように構成してもよい。
【００１５】
また、前記通信モード切換制御手段は、さらに、前記第３の通信状態において前記第２の回線交換モードから前記第１の回線交換モードに移行するように前記回線交換モード通信手段を制御すると共に前記パケット交換モード通信手段によるパケット交換呼を接続することによって前記第２の通信状態に移行し、前記第２の通信状態において前記回線交換モード通信手段による回線交換呼を切断することにより前記第１の通信状態に移行するように構成してもよい。
【００１６】
さらに、前記無線通信用携帯端末装置として、ＰＨＳ通信機能を有する携帯型通信機を使用してもよい。
【００１７】
【発明の実施の形態】
以下、添付図面を参照して、本発明の実施の形態に係る無線通信システムにおける通信モード切換方法及び無線通信用携帯端末装置について説明する。尚、本実施の形態に使用する無線通信システムとして、ＰＨＳの例を示している。
【００１８】
図１は、本実施の形態に使用するＰＨＳのシステム構成図である。図１において、本システムは、無線通信用携帯端末装置としてのＰＨＳ子機１０１、ＰＨＳ子機１０１と無線によって接続される基地局１０４を有するＰＨＳ網１０５、パケット交換によるデータ通信（パケット交換モード）に対する終端装置１０６、回線交換によるデータ通信（回線交換モード）に対する終端装置１０７、終端装置１０６、１０７から受信した信号を合成して出力するサービスサーバ１０８を備えており、サーバ１０８は通信網１０９に接続されている。
【００１９】
ＰＨＳ子機１０１は、アンテナを介して無線により音声やデータを送受信する無線部１０２、プログラム等を記憶したＲＯＭ（Read Only Memory）や通信データ等を記憶するＲＡＭ（random Access Memory）あるいは前記ＲＯＭに記憶されたプログラムによって動作する中央処理装置（ＣＰＵ）を有する制御部１０３を備えている。
【００２０】
ここで、前記ＲＯＭ及びＲＡＭは記憶手段を構成している。また、制御装置１０３は、前記ＲＯＭに記憶されたプログラムを前記ＣＰＵで実行することにより、基地局１０４との間で回線交換によって通信を行う回線交換モードでデータ通信する回線交換モード通信手段、基地局１０４との間でパケット交換によって通信を行うパケット交換モードでデータ通信するパケット交換モード通信手段、前記パケット交換モード通信手段によるパケット交換モードから前記回線交換モード通信手段による回線交換モードにデータ通信モードを切換制御する通信モード切換制御手段を構成し、又、前記通信モード切換制御手段は、前記パケット交換モード通信手段によってパケット交換モードでのデータ通信が行われている第１の通信状態で、前記回線交換モード通信手段による回線交換呼を接続することにより前記パケット交換モード通信手段によるパケット交換モード及び前記回線交換モード通信手段による第１の回線交換モードでのデータ通信を行う第２の通信状態に移行し、前記第２の通信状態においてパケット交換モード通信手段による通信を切断すると共に前記回線交換モード通信手段によって前記第１の回線交換モードよりも高速な第２の回線交換モードでのデータ通信を行う第３の通信状態に移行するように、前記回線交換モード通信手段及び前記パケット交換モード通信手段を制御するように構成されている。
【００２１】
また、前記通信モード切換制御手段は、さらに、前記第３の通信状態において前記第２の回線交換モードから前記第１の回線交換モードに移行するように前記回線交換モード通信手段を制御すると共に前記パケット交換モード通信手段によるパケット交換呼を接続することによって前記第２の通信状態に移行し、前記第２の通信状態において前記回線交換モード通信手段による回線交換呼を切断することにより前記第１の通信状態に移行するように構成されている。
【００２２】
尚、ＰＨＳ子機１０１と基地局１０４は各々一つしか示していないが、実際のシステムでは各々複数使用される。通信網１０９としては、アナログ電話網、ＩＳＤＮ（サービス総合デジタル網）、無線通信回線網あるいはその他の通信網が使用される。また、ＰＨＳ子機１０１と基地局１０４間はＴＤＭＡ（Time Division Multiple Access）を用いたデジタル通信によって音声やデータの通信が行われ、ＰＨＳ子機１０１は、通信網１０９に接続された所望の相手先（図示せず）との間で通話やデータの送受信を行うことができるようになっている。
【００２３】
図２は、ＰＨＳ子機１０１及び基地局１０４における通信モード切換処理を示す説明図であり、ＰＨＳ子機１０１においては、制御部１０３の前記ＲＯＭに記憶されたプログラムを前記ＣＰＵで処理することにより実行される。
【００２４】
図３は、ＰＨＳ子機１０１と基地局１０４間で通信を行う場合のフレーム構成を示す図で、上り、下りともに４スロット（ＣＨ１〜ＣＨ４）で構成されている。本実施の形態では、例えば、ＤＤＩポケットが提供するベストエフォート方式のように、同時に使用可能なスロットが所定数（本例では、最大２スロット）に制限可能な例を示している。図３では、スロット１（ＣＨ１）とスロット３（ＣＨ３）が使用されていることを示している。
【００２５】
以下、図１〜図３を用いて、本発明の実施の形態について詳細に説明する。先ず、ＰＨＳ子機１０１と基地局１０４間のデータ通信において、パケット交換によってデータ通信を行うパケット交換モードから、回線交換によるデータ通信を行う回線交換モードへ移行する例を説明する。
【００２６】
先ず、ＰＨＳ子機１０１は基地局１０４との間でパケット呼を接続し、図２（ａ）に示すように、パケット交換モード通信手段によって、１スロット（図３のＣＨ１）を使用してパケット交換モードでデータ通信を開始する（第１の通信状態）。前記パケット交換モードでの通信データは、ＰＨＳ子機１０１、基地局１０４、ＰＨＳ網１０５、パケット交換用終端装置１０６、サービスサーバ１０８を介して、通信網１０９に接続された所望の相手先（図示せず）との間で送受信される。
【００２７】
前記通信モード切換制御手段は、前記パケット交換モード通信手段によってパケット交換モードでのデータ通信が行われている第１の通信状態で、前記回線交換モード通信手段による回線交換呼を接続することにより前記パケット交換モード通信手段によるパケット交換モード及び前記回線交換モード通信手段による第１の回線交換モードでのデータ通信を行うように、前記パケット交換モード通信手段及び前記回線交換モード通信手段を制御する。即ち、前記第１の通信状態から、ＰＨＳ子機１０１は、図２（ｂ）に示すように、回線交換呼を接続することにより、パケット交換モード通信手段によって１スロット（ＣＨ１）を用いたパケット交換モードでのデータ通信と、回線交換モード通信手段によって１スロット（ＣＨ３）を用いた第１の回線交換モードでのデータ通信を行う（第２の通信状態）。前記第２の通信状態では、前記パケット交換モードでの通信データは、ＰＨＳ子機１０１、基地局１０４、ＰＨＳ網１０５、パケット交換用終端装置１０６を介してサービスサーバ１０８に送信される。また、前記回線交換モードでの通信データは、ＰＨＳ子機１０１、基地局１０４、ＰＨＳ網１０５、回線交換用終端装置１０７を介してサービスサーバ１０８に送信される。サービスサーバ１０８は、パケット交換用終端装置１０６及び回線交換用終端装置１０７から受信したデータ信号を合成して、通信網１０９に接続された所望の相手先に送信される。
【００２８】
次に、前記通信モード切換制御手段は、前記第２の通信状態において前記パケット交換モード通信手段による通信を切断すると共に前記回線交換モード通信手段によって前記第１の回線交換モードよりも高速な第２の回線交換モードでのデータ通信を行う第３の通信状態に移行するように、前記回線交換モード通信手段及び前記パケット交換モード通信手段を制御する。即ち、ＰＨＳ子機１０１は、前記第２の通信状態において基地局１０４とネゴシエーションを行い、ネゴシエーション完了後にパケット交換呼を切断し（図２（ｃ））、図２（ｄ）に示すように、２スロット（ＣＨ１、３）を用いて、前記第１の回線交換モードでのデータ通信よりも高速な第２の回線交換モードでのデータ通信に遷移する（第３の通信状態）。これにより、ＣＨ１を用いたパケット交換モードによるデータ通信から、ＣＨ１、３の２スロットを用いた高速な回線交換モードへ移行する。前記回線交換モードでの通信データは、ＰＨＳ子機１０１、基地局１０４、ＰＨＳ網１０５、回線交換用終端装置１０７、サービスサーバ１０８を介して、通信網１０９に接続された所望の相手先に送信され、高速なデータ通信が行われる。
【００２９】
一方、図２（ｄ）に示す回線交換モードから図２（ａ）に示すパケット交換モードに切換える場合は、図２の処理を逆に行う。即ち、前記通信モード切換制御手段は、前記第３の通信状態において前記第２の回線交換モードから前記第１の回線交換モードに移行するように前記回線交換モード通信手段を制御すると共に前記パケット交換モード通信手段によるパケット交換呼を接続することによって前記第２の通信状態に移行し、前記第２の通信状態において前記回線交換モード通信手段による回線交換呼を切断することにより前記第１の通信状態に切換える。
【００３０】
これを図２に沿って説明すると、先ず、ＰＨＳ子機１０１は、図２（ｄ）に示す第３の通信状態から基地局１０４とネゴシエーションを行って、前記回線交換モード通信手段による１スロット（ＣＨ３）を用いた第１の回線交換モードでの通信に移行する（図２（ｃ））。次に、図２（ｂ）に示すように、新たに１スロット（ＣＨ１）を用いたパケット交換呼を接続する。これにより、ＣＨ３を用いた回線交換モードでのデータ通信から、前記回線交換モード通信手段による１スロット（ＣＨ３）を用いた第１の回線交換モードでのデータ通信と、前記パケット交換モード通信手段による１スロット（ＣＨ１）を用いたパケット交換モードでのデータ通信へ移行する（第２の通信状態）。前記第２の通信状態で、図２（ａ）に示すように、前記回線交換モード通信手段による回線交換呼を切断し、これにより、前記パケット交換モード通信手段による１スロット（ＣＨ１）を用いたパケット交換モードでのデータ通信に移行する（第１の通信状態）。これにより、低速なデータ通信ではあるが、通信回線の有効活用を行うことが可能になる。
【００３１】
以上述べたように、本発明の実施の形態に係る無線通信システムにおける通信モード切換方法は、ＰＨＳ子機１０１と基地局１０４間で無線通信を行うことにより、ＰＨＳ子機１０１と所望の相手先間で通信を行う無線通信システムにおいて、ＰＨＳ子機１０１と基地局１０４間で回線交換によるデータ通信を行う回線交換モードと、ＰＨＳ子機１０１と基地局１０４間でパケット交換によるデータ通信を行うパケット交換モードとを用意し、前記パケット交換モードでデータ通信を行う第１の通信状態（図２（ａ））において回線交換呼を接続することにより、前記パケット交換モード及び第１の回線交換モードでデータ通信を行う第２の通信状態（図２（ｂ））に移行し、前記第２の通信状態においてパケット交換呼を切断すると共に前記第１の回線交換モードよりも高速な第２の回線交換モードでデータ通信を行う第３の通信状態（図２（ｄ））に移行することにより、前記パケット交換モードから前記回線交換モードへ移行することを特徴としている。したがって、データ量が少ない場合にはパケット交換モードでデータ通信を行うことによって回線の利用効率を向上させることが可能になり又、データ量が多い場合には回線交換モードでデータ通信を行うことによって高速なデータ通信を行うことが可能になる。また、パケット交換モードから回線交換モードへの移行をスムーズに行うことが可能になる。
【００３２】
ここで、ＰＨＳ子機１０１と基地局１０４間のデータ通信はＴＤＭＡによって行い、前記第１の通信状態におけるパケット交換モードでのデータ通信は１スロット使用し、前記第２の通信状態におけるパケット交換モード及び第１の回線交換モードでのデータ通信は各々１スロット使用し、前記第３の通信状態における第２の回線交換モードでのデータ通信は２スロット使用するようにしている。したがって、同時に使用可能なスロットが制限されている場合でも、通信モードの切換をスムーズに行うことが可能になる。
【００３３】
また、さらに、前記第３の通信状態において回線交換モードの一部を切断すると共にパケット交換呼を接続することにより、前記第２の通信状態に移行し、前記第２の通信状態において回線交換呼を切断することにより前記第１の通信状態に移行するようにしている。したがって、回線交換モードからパケット交換モードへの移行をスムーズに行うことが可能になる。
【００３４】
また、本発明の実施の形態に係る無線通信用携帯端末装置は、基地局１０４との間で無線通信を行うことにより、所望の相手先と通信を行う無線通信用携帯端末装置（ＰＨＳ子機１０４）において、基地局１０４との間で回線交換によって通信を行う回線交換モードでデータ通信する回線交換モード通信手段と、基地局１０４との間でパケット交換によって通信を行うパケット交換モードでデータ通信するパケット交換モード通信手段と、前記パケット交換モード通信手段によるパケット交換モードから前記回線交換モード通信手段による回線交換モードにデータ通信モードを切換制御する通信モード切換制御手段とを備え、
前記通信モード切換制御手段は、前記パケット交換モード通信手段によってパケット交換モードでのデータ通信が行われている第１の通信状態（図２（ａ））で、前記回線交換モード通信手段による回線交換呼を接続することにより前記パケット交換モード通信手段によるパケット交換モード及び前記回線交換モード通信手段による第１の回線交換モードでのデータ通信を行う第２の通信状態（図２（ｂ））に移行し、前記第２の通信状態においてパケット交換モード通信手段による通信を切断すると共に前記回線交換モード通信手段によって前記第１の回線交換モードよりも高速な第２の回線交換モードでのデータ通信を行う第３の通信状態（図２（ｄ））に移行するように、前記回線交換モード通信手段及び前記パケット交換モード通信手段を制御することを特徴としている。したがって、データ量が少ない場合にはパケット交換モードでデータ通信を行うことによって回線の利用効率を向上させることが可能になり又、データ量が多い場合には回線交換モードでデータ通信を行うことによって高速なデータ通信を行うことが可能になる。また、パケット交換モードから回線交換モードへの移行をスムーズに行うことが可能になる。
【００３５】
ここで、基地局１０４との間のデータ通信はＴＤＭＡで行い、前記第１の通信状態におけるパケット交換モードでのデータ通信は１スロット使用し、前記第２の通信状態における前記パケット交換モード及び第１の回線交換モードでのデータ通信は各々１スロット使用し、前記第３の通信状態における第２の回線交換モードでのデータ通信は２スロット使用するように構成している。したがって、同時に使用可能なスロットが制限されている場合でも、通信モードの切換をスムーズに行うことが可能になる。
【００３６】
また、前記通信モード切換制御手段は、さらに、前記第３の通信状態において前記第２の回線交換モードから前記第１の回線交換モードに移行するように前記回線交換モード通信手段を制御すると共に前記パケット交換モード通信手段によるパケット交換呼を接続することによって前記第２の通信状態に移行し、前記第２の通信状態において前記回線交換モード通信手段による回線交換呼を切断することにより前記第１の通信状態に移行するように構成している。したがって、回線交換モードからパケット交換モードへの移行をスムーズに行うことが可能になる。
【００３７】
尚、回線交換モードとパケット交換モードの切換は、ＰＨＳ子機１０１に通信モード切換指示手段としての切換スイッチを設けておき、該切換スイッチを操作することによって制御部１０３にモード切換指示を行い、前記通信モード切換制御手段は、これを受けて、通信モードを自動的に切換えるようにしてもよい。
【００３８】
また、制御部１０３に、データ通信速度が所定値以上か以下かを判別して通信モードの切換え指示を行う通信モード切換指示手段を設けておき、前記通信モード切換指示手段からの切換え指示に応答して前記通信モード切換制御手段は、前述したようにして、通信モードを自動的に切換えるようにしてもよい。即ち、データ通信開始当初はパケット交換モードでのデータ通信を行うようにしておき、データ通信速度が所定値を超えたと通信モード切換指示手段が判断して通信モードの切換え指示を行い、前記通信モード切換制御手段がこれを受けて、パケット交換モードから回線交換モードに移行してデータ通信を行うようにする。また、通信モード切換指示手段が、データ通信速度が所定値以下になったと判断して通信モードの切換え指示を行い、前記通信モード切換制御手段がこれを受けて、回線交換モードからパケット交換モードに移行してデータ通信を行うようにしてもよい。
【００３９】
さらに、本実施の形態では、無線通信用携帯端末装置としてＰＨＳ子機の例で説明したが、ＰＨＳ内蔵カード等のＰＨＳ通信機能を有する携帯型通信機をはじめとして、携帯電話機等の他の無線通信用形態端末装置に適用することが可能である。
【００４０】
【発明の効果】
本発明によれば、データ通信に際して、回線の利用効率を向上させると共に、高速な通信を行うことが可能になる。
【００４１】
また、パケット交換モードと回線交換モード間の通信モードの切換えをスムーズに行うことが可能になる。
【００４２】
さらに、同時に使用可能なスロットが制限されている場合でも、通信モードの切換をスムーズに行うことが可能になる。
【図面の簡単な説明】
【図１】本発明の実施の形態に使用するＰＨＳの構成図である。
【図２】本発明の実施の形態における通信モード切換処理を示す説明図である。
【図３】本発明の実施の形態においてデータ通信を行う際のフレーム構成を示す図である。
【符号の説明】
１０１・・・無線通信用携帯端末装置としてのＰＨＳ子機
１０２・・・無線部
１０３・・・制御部
１０４・・・基地局
１０５・・・ＰＨＳ網
１０６・・・パケット通信用終端装置
１０７・・・回線交換通信用終端装置
１０８・・・サーバ
１０９・・・通信網
【図１】
0003827931.tif 000002
【図２】
0003827931.tif 000003
【図３】
0003827931.tif 000004